(57)【特許請求の範囲】
【請求項１】
レンズ基材と金型との間に光硬化樹脂を挟持し、光線を前記レンズ基材を透過させて前記樹脂に照射し、前記樹脂を前記レンズ基材に被着硬化させて、前記レンズ基材と樹脂層とからなる樹脂接合型レンズを製造する方法において、
前記光線が前記樹脂に入射する際の入射角を、臨界角より小さくなるように、前記光線の光路を調整することを特徴とする、樹脂接合型レンズの製造方法。
【請求項２】
請求項１に記載の樹脂接合型レンズの製造方法において、
前記光線の光路の調整は、レンズあるいはミラーによって行われることを特徴とする樹脂接合型レンズの製造方法。
【請求項３】
金型と、前記金型とレンズ基材との間に挟持される光硬化樹脂に対して、光源からの光線を前記レンズ基材を透過させて照射し、前記樹脂を前記レンズ基材に被着硬化させる光照射装置とを有する樹脂接合型レンズの製造装置において、
前記光照射装置は、前記光源と前記レンズ基材との間に、前記光線が前記樹脂に入射する際の入射角を臨界角よりも小さくするための光学素子を備えたことを特徴とする樹脂接合型レンズの製造装置。
【請求項４】
前記光学素子は、レンズあるいはミラーであることを特徴とする請求項３に記載の樹脂接合型レンズの製造装置。
【発明の詳細な説明】
【０００１】
【発明の属する技術分野】
本発明は、レンズ基材の表面に所定の面形状をもつ樹脂層を形成させた樹脂接合型レンズを製造する方法およびその装置に関するものである。
【０００２】
【従来の技術】
従来より、ガラスレンズ基材上に所定の硬化樹脂層を形成させた樹脂接合型レンズが知られている。この様なガラスレンズ基材上に硬化樹脂層を形成させる方法としては、紫外線硬化樹脂等の光反応性樹脂をレンズ基材表面に被着させ、紫外線等の光を照射して硬化させてレンズ基材上に形成させる方法がある。
図４は、樹脂接合型レンズの製造方法の一例であり、（ａ）から（ｄ）は工程順を表す。
はじめに、図４（ａ）において、樹脂接合のための金型２３は、ガラスレンズ基材２１の一方の面（Ｒ２面）２７に樹脂層を形成させたときに、樹脂層の表面を所望の光学面形状とするための鋳型面２９を有している。この金型２３に樹脂層の面積と厚さ等により決定される分量の紫外線硬化樹脂２２を注入し、金型２３の中心軸とガラスレンズ基材２１の光軸とを一致させて鋳型面２９とＲ２面２７とを対峙させて配設する。
次に、図４（ｂ）において、前述した中心軸に沿ってガラスレンズ基材２１を金型２３側に移動させ、ガラスレンズ基材２１のＲ２面２７と鋳型面２９との間に紫外線硬化樹脂２２を狭持する。このとき、ガラスレンズ基材２１のＲ２面２７と金型２３の鋳型面２９との間の紫外線硬化樹脂２２は、鋳型面２９全体に拡がった状態となっている。
図４（ｃ）において、レンズ基材２１の他方の面（Ｒ１面）２８側からキセノンランプ等により紫外線２４を照射する。この段階で、Ｒ２面２７上で鋳型面２９全体に拡がっている紫外線硬化樹脂２２の反応が進み、ある一定の硬さをもった紫外線硬化樹脂層２２が形成される。
最後に、図４（ｄ）において、紫外線硬化樹脂２２の反応が終了した後に紫外線２４の照射を止め、鋳型面２９と紫外線硬化樹脂層２２との境界面を分離させ、Ｒ２面２７に紫外線硬化樹脂層２２が形成された樹脂接合型レンズを取り外す。
このように、光反応性樹脂を用いて表面に樹脂層を形成させるレンズの製造方法は、製造工程が比較的簡単であることに加えて、使用するガラスレンズ基材に、高精度な面形状のレンズを必要としないので、製造コストを抑えられるという利点がある。特に非球面レンズ等の複雑な形状のレンズを作製する場合はレンズ基材自体の光学面を正確に非球面形状にするには加工コストがかさむ問題がある。しかし、上記方法によれば、レンズ基材自体は目的とする光学面の形状に大体近いものであれば良く、その表面に形成する樹脂層の表面を目的とする非球面形状に仕上げればよいので、レンズの製造コストを低く抑えることができ、量産性に優れた方法ということができる。
【０００３】
【発明が解決しようとする課題】
しかしながら、カメラ、顕微鏡等に用いられる樹脂接合型レンズには、要求される光学性能によりさまざまなレンズの形状が存在する。これらさまざまな形状をしたレンズの中には、例えば図３に示すレンズ基材のように、樹脂被着面の幾何学的中心から樹脂被着面を見込む角度の大きいものがある。
図３は、樹脂被着面を見込む角度が大きい樹脂接合型レンズの断面図である。すなわち、レンズ基材１１の凹面の大部分に、樹脂層１２が接合されている。図３で、点Ｏは、樹脂が被着している側のレンズ面（球面）の幾何学的中心、破線Ａは、中心Ｏと樹脂の最外周端を結ぶ直線、実線Ｂは、レンズの光軸、θは、破線Ａと実線Ｂとのなす角である。
【０００４】
従来、この様な形状を有する樹脂接合型レンズは、樹脂の外周まで光線が到達し難かったために、樹脂の硬化が不十分であった。
本発明は上記の問題点に鑑みてなされたものであり、レンズ基材の曲面部分が大きくとも、樹脂被着面全面にわたって均一に硬化した樹脂層を得る製造方法とその装置を提供することを目的とする。
【０００５】
【課題を解決するための手段】
本発明の請求項１に記載の発明は、「レンズ基材と金型との間に光硬化樹脂を挟持し、光線を前記レンズ基材を透過させて前記樹脂に照射し、前記樹脂を前記レンズ基材に被着硬化させて、前記レンズ基材と樹脂層とからなる樹脂接合型レンズを製造する方法において、
前記光線が前記樹脂に入射する際の入射角を、臨界角より小さくなるように、前記光線の光路を調整する」樹脂接合型レンズの製造方法である。
【０００６】
請求項３に記載の発明は、「金型と、前記金型とレンズ基材との間に挟持される光硬化樹脂に対して、光源からの光線を前記レンズ基材を透過させて照射し、前記樹脂を前記レンズ基材に被着硬化させる光照射装置とを有する樹脂接合型レンズの製造装置において、前記光照射装置は、前記光源と前記レンズ基材との間に、前記光線が前記樹脂に入射する際の入射角を臨界角よりも小さくするための光学素子を備えた」樹脂接合型レンズの製造装置である。
【０００７】
【発明の実施の形態】
本発明は、レンズ基材に被着させる樹脂層をレンズ基材の形状に依らず形成するために、光硬化樹脂に照射する光の光線方向を調整する。調整方法としては、光源と、光源からの光を透過させるレンズ基体との間に、光硬化樹脂に光が入射する際の入射角を臨界角より小さくするように光の光線方向を変更する光学素子を設置する。光学素子として凹凸レンズや非球面レンズ等を用いることにより、照射光に前記条件を満たす発散光あるいは集束光等の所望の光線方向を与える。光学素子としては、レンズだけではなく、例えば、光源からの光線の反射角を任意に変えられる角度可変ミラーや、必要な方向から照射するための複数の光源が挙げられる。
この光学素子の光学的特性は、レンズ基材や光硬化樹脂の光学的特性（形状、屈折率等）および光源からの光束の特性（平行光、発散光、集束光等）により決定されるが、装置の製造コスト等を考慮すれば、集光レンズや発散レンズのように構成が簡単で安価な光学素子を用いることが好ましい。
以上により本発明では、レンズ基材の形状に応じた所望の光線方向をもつ光を照射することにより、一方の光学面全域、少なくとも光硬化樹脂の被着領域の全体に光が到達し、なおかつ、レンズ基材と光硬化樹脂との界面に到達した光が全反射することなくレンズ基材から光反応性樹脂に進入することができるため、光硬化樹脂全体の硬化が達成できる。
【０００８】
以下、本発明を具体的に説明する。
先ず、上記のように角度θが非常に大きいレンズにおいては、光軸から離れた外周部の樹脂が十分に硬化しない原因を、図２によって説明する。
図２は、角度θの大きいレンズ凹面に樹脂層を形成する状態を示す断面図である。光線４は、凹レンズ１のＲ１面８から入射し、凹レンズ１によって光路を曲げられ、凹レンズ１と金型３とに挟持された樹脂２に到達する。
【０００９】
光硬化樹脂とレンズ基材の屈折率を比較した場合、一般に、レンズ基材の方が屈折率が高い傾向がある。光線の照射は、レンズ基材の光軸に対してほぼ平行に行われるために、レンズ基材から光硬化樹脂へ光が進むときに、光軸からある一定の距離より外周部にある光の入射角が、全反射を起こす臨界角より大きくなる場合がある。
図２において、光線４ａは、破線Ｘの光路を進み、樹脂２に到達するが、全反射を起こす臨界角で入射するために、樹脂２に進入することができない。つまり、光線４ａよりも光軸側の光線は、樹脂２に進入することができるが、光線４ａよりも外側の光線は、樹脂２に進入することができない。従って樹脂２において、２ａの部分は硬化するが、２ｂの部分は硬化しない。
次に、本発明において、樹脂全体が硬化し、均質な樹脂層が形成される理由を図１によって説明する。
図１は、角度θの大きいレンズ凹面に樹脂層を形成する状態を示す断面図である。図１が図２と異なる点は、集光レンズ５を配置した点である。集光レンズ５によって、光線４は、凹レンズ１のＲ１面８に入射する前に方向を変えられる。この場合、光軸から離れる程光線方向の変化が大きい。この光線方向が変えられた光が、凹レンズ１のＲ１面８から入射し、凹レンズ１と金型３とに挟持された樹脂２に到達する。
つまり、集光レンズ５によって、光軸と平行な光線４は、所定の光線方向をもつ光に変換された後、凹レンズ１のＲ１面８から入射する。
【００１０】
光軸から離れた光線４ｂは、凹レンズ１と樹脂２との界面７において全反射を起こす臨界角で入射する光である。光線４ｂの光路を追跡すると、集光レンズ５によって光線方向が変えられた集束光６は、破線Ｙの光路を進み、樹脂２の最外周部に入射する。このように、樹脂２の最外周部に到達する光線の入射角が臨界角に等しくなるように調整すれば、少なくとも樹脂被着領域全面にわたって樹脂を硬化させることができる。
【００１１】
もちろん、安全のために、凹レンズ１と樹脂２との界面７に入射する光が樹脂２の最外周部よりさらに外側で臨界角となるようにするのが現実的である。
以上の様に、レンズ基材の形状、屈折率に応じた光学素子を用いることにより、少なくとも樹脂被着領域全面にわたって樹脂を硬化させることができる。従って、金型３の鋳型面形状が正確に転写された樹脂層２が形成され、所望の光学特性をもった樹脂接合型レンズを得ることができる。
【００１２】
【発明の効果】
本発明によれば、レンズ基材の形状、屈折率に影響されることなく、光源からの光を光硬化樹脂全面に導くことができ、レンズ表面に均一に硬化した樹脂層を形成することができる。
特に、金型を介して所望の表面形状をレンズ基材にトレースさせることができるので、非球面等の加工が難しい光学面を簡単な手段で且つ低コストで成形することができる。
【図面の簡単な説明】
【図１】  本発明の実施の形態に係る、角度θの大きいレンズ凹面に樹脂層を形成する状態を示す部分断面図である。
【図２】  従来の、角度θの大きいレンズ凹面に樹脂層を形成する状態を示す部分断面図である。
【図３】  角度θの大きい樹脂接合型レンズの断面図である。
【図４】  樹脂接合型レンズの製造手順を示す図である。
【符号の説明】
１        凹レンズ（レンズ基材）
２        樹脂（樹脂層）
３        金型
４        光線（照射光）
５        集光レンズ
６        集束光
７        レンズ基材と樹脂との界面
８        Ｒ１面
【図１】
0003849217.tif 000002
【図２】
0003849217.tif 000003
【図３】
0003849217.tif 000004
【図４】
0003849217.tif 000005